【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
反応器のためのガス送達および再循環システムであって、
前記反応器は、
ガス吸気ポートおよびガス排気ポートを有する、反応器容器と、
格子であって、前記格子の中に反応ガスが導入され得る、格子と
を有し、
前記送達および再循環システムは、
搬送ガスポート、反応ガスポート、反応器入力ポート、および反応器返還ポートとして指定される、ポートを有するガスルータであって、
前記搬送ガスポートは、通常開放（ＯＮ）弁を通して前記反応器入力ポートと流体連通し、
前記反応ガスポートは、通常閉鎖（ＯＦＦ）弁を通して前記反応器入力ポートと流体連通し、
前記反応器返還ポートは、通常閉鎖（ＯＦＦ）弁を通して前記反応器入力ポートと流体連通する、
ような内部相互接続を伴う、ガスルータと、
前記ルータの反応器入力ポートと前記反応器容器のガス吸気ポートとの間の１つ以上のガス導管と、
前記反応器容器のガス排気ポートと前記ルータの反応器返還ポートとの間の１つ以上のガス導管と
を備える、システム。
【請求項２】
前記ガスルータを通して前記反応器入力ポートから前記反応器返還ポートに流動することを防止する一方、前記ルータを通して前記反応器返還ポートから前記反応器入力ポートに流動させるための逆止弁をさらに備える、請求項１に記載のシステム。
【請求項３】
前記ルータは、前記反応器返還ポートと流体連通する付加的ポートを有し、前記システムは、前記付加的ポートに接続され、前記反応器返還ポートと前記反応器入力ポートとの間の経路内の圧力を制限するための圧力緩和弁をさらに備える、請求項１に記載のシステム。
【請求項４】
前記ルータはさらに、通常閉鎖（ＯＦＦ）弁を通して前記反応器入力ポートと流体連通する、前記プロセスガスポートとして指定されるポートを含む、請求項１に記載のシステム。
【請求項５】
前記格子は、粉末化または焼結された金属材料あるいは金属材料の堆積された層を含む、請求項１に記載のシステム。
【請求項６】
ガス返還ラインからガスを通気させ、安全動作圧力を前記反応器システム内に維持するための逆止弁をさらに備える、請求項１に記載のシステム。
【請求項７】
反応器の内側の反応格子と相互作用する反応ガスに依拠する、前記反応器を動作させる方法であって、前記方法は、
前記反応器を通して、加熱された搬送ガスを流動させることであって、前記加熱された搬送ガスが、前記反応器を通して流動されると、前記搬送ガスは、前記格子内の酸化物を破壊させるために十分な温度であり、それによって、前記加熱された搬送ガスが、前記格子から酸化物を除去するように動作する、ことと、
その後、前記格子が前記反応ガスを吸収するように、反応ガスを前記反応器の中に導入することと、
前記格子を刺激して前記格子内にフォノンを発生させ、前記格子の中に吸収された前記反応ガス中の反応物にエネルギーを提供し、核反応を受けさせることと
を含む、方法。
【請求項８】
反応器の内側の反応格子と相互作用する反応ガスに依拠する、前記反応器を動作させる方法であって、前記方法は、
前記反応器を通して搬送ガスを流動させ、前記格子内の遊離酸素を前記格子から除去することと、
その後、前記格子が、前記反応ガスを吸収し、かつ、前記反応ガスが、前記格子内に存在する酸化物を化学的に還元するように、反応ガスを前記反応器の中に導入することと、
前記格子を刺激して前記格子内にフォノンを発生させ、前記格子の中に吸収された前記反応ガス中の反応物にエネルギーを提供し、核反応を受けさせることと
を含む、方法。
【請求項９】
前記格子の材料の刺激度を調節することと、
前記反応器の中に導入されるガス混合物の圧力および／または流動を調節することと、
前記反応器の中に導入される前記ガス混合物の温度を調節することと、
前記反応器の中に導入される前記ガス混合物中の反応ガスおよび搬送ガスの相対的割合を調節することと
のうちの１つ以上によって、前記核反応を制御することをさらに含む、請求項７または８に記載の方法。
【請求項１０】
前記ガス混合物の圧力および／または流動を調節することは、前記ガス混合物の流動を開始および停止することを含む、請求項９に記載の方法。
【請求項１１】
前記反応器は、実質的に純搬送ガスのみを前記反応器の中にもたらすフェールセーフ構成を有する、請求項７または８に記載の方法。
【請求項１２】
前記反応器容器は、電気伝導性外側層とともに形成され、前記反応性格子を通した電流スパイクの伝送のために、前記格子と外側導体との間に伝送ラインを形成する、請求項１に記載のシステム。
【請求項１３】
反応器コアであって、前記反応器コアは、
外側金属管状シェルと、
前記外側金属シェルの内側表面の内周側に配置された誘電層と、
前記誘電層の内側表面の内周側に配置された格子材料の層と
を備える、反応器コア。
【請求項１４】
前記誘電層は、前記外側金属シェルの内側表面上に形成され、
前記格子材料の層は、前記誘電層の内側表面上に形成されている、請求項１３に記載の反応器コア。
【請求項１５】
前記外側金属シェルは、外側ステンレス鋼構成要素および内側銅構成要素を備える、請求項１３に記載の反応器コア。
【請求項１６】
反応器コアであって、前記反応器コアは、
金属管と、
前記金属管の外側表面上に配置された誘電層と、
前記誘電層の外側表面上に配置された格子材料の層と
を備える、反応器コア。
【請求項１７】
反応器コアを加工する方法であって、前記方法は、
２つの金属管間に配置された犠牲マンドレルを備えた基板を提供することと、
前記基板上に格子材料の層を形成し、前記マンドレルの端部を越えて延在させることと、
前記格子材料の層を覆う誘電層を形成し、前記マンドレルの端部を越えて延在させることと、
前記誘電層を覆う金属層を形成し、前記マンドレルの端部を越えて延在させることと、
前記金属管の端部にわたって形成された中空円筒形構造を残すように前記マンドレルを除去することであって、前記格子材料が前記円筒形構造の内側暴露表面上に配置されていることを伴う、ことと
を含む、方法。
【手続補正２】
【補正対象書類名】明細書
【補正対象項目名】００２１
【補正方法】変更
【補正の内容】
【００２１】
本発明の性質および利点のさらなる理解は、明細書の残りの部分および図面（例示的であって、限定として意図されるものではない）を参照することによって実現され得る。
本願明細書は、例えば、以下の項目も提供する。
（項目１）
反応器のためのガス送達および再循環システムであって、
ガス吸気ポートおよびガス排気ポートを有する、反応器容器と、
その中に反応ガスが導入され得る、格子と、
を有し、
前記送達および再循環システムは、
搬送ガスポート、反応ガスポート、反応器入力ポート、および反応器返還ポートとして指定されるポートを有する、ガスルータであって、
前記搬送ガスポートは、通常開放（ＯＮ）弁を通して前記反応器入力ポートと流体連通し、
前記反応ガスポートは、通常閉鎖（ＯＦＦ）弁を通して前記反応器入力ポートと流体連通し、
前記反応器返還ポートは、通常閉鎖（ＯＦＦ）弁を通して前記反応器入力ポートと流体連通する、
ような内部相互接続を伴う、ガスルータと、
前記ルータの反応器入力ポートと前記反応器容器のガス吸気ポートとの間の１つ以上のガス導管と、
前記反応器容器のガス排気ポートと前記ルータの反応器返還ポートとの間の１つ以上のガス導管と、
を備える、送達および再循環システム。
（項目２）
前記ガスルータを通して前記反応器入力ポートから前記反応器返還ポートに流動することを防止する一方、前記ルータを通して前記反応器返還ポートから前記反応器入力ポートに流動させるための逆止弁をさらに備える、項目１に記載のシステム。
（項目３）
前記ルータは、前記反応器返還ポートと流体連通する付加的ポートを有し、前記付加的ポートに接続され、前記反応器返還ポートと前記反応器入力ポートとの間の経路内の圧力を制限するための圧力緩和弁をさらに備える、項目１に記載のシステム。
（項目４）
前記ルータはさらに、通常閉鎖（ＯＦＦ）弁を通して前記反応器入力ポートと流体連通する、前記プロセスガスポートとして指定されるポートを含む、項目１に記載のシステム。
（項目５）
前記格子は、粉末化または焼結された金属材料あるいは金属材料の堆積された層を含む、項目１に記載のシステム。
（項目６）
前記反応器の中に導入される前に、ガスを加熱するために配置される、加熱器をさらに備える、項目１に記載のシステム。
（項目７）
前記反応器から流出するガスから熱を回収するために配置される、熱回収システムをさらに備える、項目１に記載のシステム。
（項目８）
音波またはエネルギーを前記格子に印加し、前記格子内にフォノンを発生させるための音波または超音波変換器をさらに備える、項目１に記載のシステム。
（項目９）
前記格子を加熱し、前記格子内にフォノンを発生させるための加熱器をさらに備える、項目１に記載のシステム。
（項目１０）
前記格子を通して電流パルスを通過させ、前記格子内にフォノンを発生させるための源をさらに備える、項目１に記載のシステム。
（項目１１）
ガス返還ラインからガスを通気させ、安全動作圧力を前記反応器システム内に維持するための逆止弁をさらに備える、項目１に記載のシステム。
（項目１２）
前記反応器の内側の反応格子と相互作用する反応ガスに依拠する、反応器を動作させる方法であって、
前記反応器を通して搬送ガスを流動させ、前記格子内の酸化物を還元させるステップと、
その後、前記格子が、前記反応ガスを吸収し、前記反応ガスがさらに、酸化物を還元するように、反応ガスおよび搬送ガスの混合物を前記反応器の中に導入するステップと、
前記格子を刺激し、前記格子内にフォノンを発生させ、前記格子の中に吸収された前記反応ガス中の反応物のためのエネルギーを提供し、核反応を受けさせるステップと、
を含む、方法。
（項目１３）
前記格子材料の刺激度を調節するステップと、
前記反応器の中に導入される前記ガス混合物の圧力および／または流動を調節するステップと、
前記反応器の中に導入される前記ガス混合物の温度を調節するステップと、
前記反応器の中に導入される前記ガス混合物中の反応ガスおよび搬送ガスの相対的割合を調節するステップと、
の１つ以上によって、前記核反応を制御するステップをさらに含む、項目１２に記載の方法。
（項目１４）
前記ガス混合物の圧力および／または流動を調節するステップは、前記ガス混合物の流動を開始および停止するステップを含む、項目１２に記載の方法。
（項目１５）
前記反応ガスは、軽水素および／または重水素を含有する、項目１２に記載の方法。
（項目１６）
前記搬送ガスは、正圧で流動される、項目１２に記載の方法。
（項目１７）
前記反応器の中に導入される前に、前記ガスを加熱するステップをさらに含む、項目１２に記載の方法。
（項目１８）
前記反応器の中に導入される前に、前記搬送ガスを加熱するステップをさらに含み、前記搬送ガスは、前記加熱された搬送ガスが、前記反応器を通して流動され、酸化物を還元させると、前記酸化物を破壊させるために十分な温度まで加熱される、項目１２に記載の方法。
（項目１９）
前記反応器から流出するガスから熱を回収するステップをさらに含む、項目１２に記載の方法。
（項目２０）
前記格子内にフォノンを発生させるステップは、音波または超音波エネルギーを前記格子に印加するステップを含む、項目１２に記載の方法。
（項目２１）
前記格子内にフォノンを発生させるステップは、前記格子を加熱するステップを含む、項目１２に記載の方法。
（項目２２）
前記格子内にフォノンを発生させるステップは、前記格子を通して電流パルスを通過させるステップを含む、項目１２に記載の方法。
（項目２３）
前記反応ガスは、水素を自然発生させる、項目１２に記載の方法。
（項目２４）
前記反応ガスは、自然発生水素中のものを超える重水素および／または三重水素のレベルを含有する、項目１２に記載の方法。
（項目２５）
前記混合物は、前記反応器から流出させられ、次いで、搬送ガスまたは反応ガスの添加を伴って、または伴わずに、前記反応器の中に再循環される、項目１２に記載の方法。
（項目２６）
前記反応器は、実質的に、純搬送ガスのみを前記反応器の中にもたらす、フェールセーフ構成を有する、項目１２に記載の方法。
（項目２７）
閾値を上回る圧力に応答して、ガス返還ラインからガスを通気させ、前記反応器システム内に安全動作圧力を維持するステップをさらに含む、項目１２に記載の方法。
（項目２８）
前記反応器容器は、電気伝導性外側層とともに形成され、前記反応性格子を通した電流スパイクの伝送のために、前記格子と前記外側導体との間に伝送ラインを形成する、項目１に記載のシステム。
（項目２９）
外側金属管状シェルと、
前記外側金属シェルの内側表面の内周側に配置される、誘電層と、
前記誘電層の内側表面の内周側に配置される、格子材料の層と、
を備える、反応器コア。
（項目３０）
前記管状シェルは、直円柱シェルである、項目２９に記載の反応器コア。
（項目３１）
前記誘電層は、前記外側金属シェルの内側表面上に形成され、
前記格子材料の層は、前記誘電層の内側表面上に形成される、項目２９に記載の反応器コア。
（項目３２）
前記外側金属シェルは、外側ステンレス鋼構成要素および内側銅構成要素を備える、項目２９に記載の反応器コア。
（項目３３）
金属管と、
前記金属管の外側表面上に配置される、誘電層と、
前記誘電層の外側表面上に配置される、格子材料の層と、
を備える、反応器コア。
（項目３４）
反応器コアを加工する方法であって、
２つの金属管間に配置される犠牲マンドレルを備える、基板を提供するステップと、
前記基板上に格子材料の層を形成し、前記マンドレルの端部を越えて延在させるステップと、
前記格子材料の層を覆う誘電層を形成し、前記マンドレルの端部を越えて延在させるステップと、
前記誘電層を覆う金属層を形成し、前記マンドレルの端部を越えて延在させるステップと、
前記円筒形構造の内側暴露表面上に配置された格子材料とともに、前記金属管の端部にわたって形成される中空円筒形構造を残すように、前記マンドレルを除去するステップと、
を含む、方法。